(57)【要約】      （修正有）【課題】高価、複雑で壊れやすい市販の水蒸気蒸留器に、勝るとも劣らない性能の蒸留装置を、低価格で自作可能な形で提供する。【解決手段】水蒸気発生器２から生じた水蒸気が、水蒸気発生器上端開口４に装着されたスプリングキャップのキャップ５の間隙から噴出し、精油成分抽出器８に納めた抽出バイオマス７を水蒸気蒸留抽出し精油成分を含んだ水蒸気が水蒸気誘導管１１を通り、氷などの冷却剤１４で冷やされて受器１２で精油成分が回収されるように構成する。【選択図】図１
0003151434.tif 000002
【実用新案登録請求の範囲】
【請求項１】
バイオマス（生物資源）から精油成分を抽出する、本簡易バイオマス精油成分抽出装置において、内部に水を収納し上端部に開口部を有して、下部に配置される水蒸気発生器と、
内部に精油成分が抽出されるバイオマスが収納され、下端部が前記水蒸気発生器とホットメルト接着剤紙テープにより、密着固定され上端部に開口部を有して、上部に配置される精油成分抽出器と、
前記水蒸気発生器の上端開口部に軽く固定されたスプリング状の弁が、開口部に対して間隙を置いて配設され、前記スプリングによって支持されたキャップとから構成され、バイオマスを前記スプリングキャップで柔軟に保持するようにしたバイオマス保持部と、
前記スプリングキャップ間隙から精油成分抽出器への水蒸気浸入手段と、
前記水蒸気発生器を加熱する加熱手段と、
前記水蒸気発生器で発生した水蒸気がバイオマスと接することによって抽出された精油成分を前記精油成分抽出器から取り出す精油成分取り出し手段と、
取り出された精油成分を含む水蒸気を冷却して精油成分を含む蒸留液とする冷却手段と、
を有する事を特徴とするバイオマス精油成分抽出装置。
【考案の詳細な説明】
【考案の詳細な説明】
【技術分野】
【０００１】  本考案は学校や家庭において、環境や健康上有用な精油成分を、簡単に身近かなバイオマス（生物資源）から抽出するための水蒸気蒸留抽出装置で、しかも本品は社会一般的に在る物から出来ているので、自作可能な蒸留抽出装置に関するものである。
【背景技術】
【０００２】  水蒸気蒸留の原理については公知の事実である。地球温暖化やエネルギー問題から脱石油化が求められている現在、地球上に存在するバイオマス資源のうち最も多量なものは植物系バイオマスで、その９０％を木質系バイオマスが占める。森林資源は古くから木材として利用されて来ているが、構成成分を上手く利用することができれば、石油資源から作られるエネルギー、化学原料、化学製品の９５％が木質バイオマス資源からも製造可能であると言われている。これらの事柄を一般の人々に実感して知ってもらうためにも、身近かな物から自作可能で取り扱いも簡単なこのバイオマス精油成分抽出装置の提供は、家庭や学校・講習会での実習実験において多大な貢献をするのは明らかである。
【考案の開示】
【考案が解決しようとする課題】
【０００３】  家庭や学校の実験室ならばともかく、市民講習会やサイエンス・スクエアなどの催事場において、個々に市販の高価な水蒸気蒸留器を準備する事は困難である。さらにこの様な場所では電気のみのエネルギー、場所をとらない、多量の冷却水を要しない、しかも壊れにくく、その場で修理可能な安全で簡便な水蒸気蒸留抽出装置を供給する必要がある。
本考案はこのような課題を解決する事を、目的とします。
【課題を解決するための手段】
【０００４】  考案した装置はコンビニエンスストアーとホームセンターにて、部品のほとんどを揃える事が出来て短時間で自作可能である。
使用後のスクリューキャップ式アルミニウム製のコーヒー飲料缶を水蒸気発生器として利用し、その上に同型の缶の底部を切り抜いて利用した精油成分抽出器を乗せ、ホットメルト接着剤紙テープにて密着固定させた形のバイオマス精油成分抽出装置であり、市販の水蒸気蒸留器で用いるスタンドのような支持具を必要としない。前記水蒸気発生器で発生した水蒸気は、前記発生器開口部にワイヤーでスプリング状に結合されたキャップの間隙から効率良く上部精油成分抽出器に流れ込む。これが単にキャップに複数の小穴をあけた市販の金属製蒸し器の様な構造ならば、キャップの上部下部の温度差によって下部に水滴が付着してしまい、これが通り抜けようとする水蒸気の温度を下げてしまうので、効率良く精油成分抽出器に水蒸気に流れ込まない。
考案したスプリングキャップを装着した本装において、効率良く流れ込んだ水蒸気は、前記精油成分抽出器内の抽出バイオマスを効率良く蒸し、固体中に含まれる蒸留抽出可能な成分を蒸気抽出する事により、蒸気分離する事が出来る様に考案された、水蒸気蒸留抽出装置である。
【考案の効果】
【０００５】  本考案は具体的には、水蒸気発生器の上端開口部に、スプリングキャップを装着する事により、効率的に精油成分抽出器内の抽出バイオマスを水蒸気蒸留抽出し、さらに支持具を用いずに水蒸気発生器と精油成分抽出器をホットメルト接着剤紙テープにて直接密着固定するので、装置全体がコンパクトにまとまったバイオマス精油成分抽出装置であり、本装置を提供する事により、安全、簡便、効率的・壊れにくく短時間で目的を果たす事が可能であり、多量の冷却水や広い実験スペースを必要とせず、低価格でその場で自作出きる事から、学生やイベント参加者にとって、単に市販品を購入するより、格段に精油などのバイオマスからの天然有用化学成分に関心を持つなどの効果も期待出来る。
【考案を実施するための最良の形態】
【０００６】  実施するための最良の形態を説明するに当たり、図１〔０１００〕図２〔０２００〕を元にバイオマスから精油成分を抽出する過程を説明する。
水蒸気発生用水１を収納した水蒸気発生器２の水蒸気発生器上端開口４に、ワイヤースプリング６とキャップ５により構成されたスプリングキャップ図２〔０２００〕を装着しホットメルト接着剤紙テープ３により、抽出バイオマス７を納めた精油成分抽出器８と密着固定した状態で、３００Ｗ電熱器１５で加熱するると、抽出バイオマス７の精油成分を含んだ水蒸気が、精油成分抽出器上端開口９にコルク栓１０によってすり合わせた水蒸気誘導管１１により誘導され、その水蒸気を冷却用器１３の氷１４によって冷却し、受器１２に精油成分を含んだ芳香蒸留水が回収される。【０００７】  ３００Ｗ電熱器などで本装置の水蒸気発生器の底部を加熱し水蒸気を発生させ、前記水蒸気発生器上端開口に装着されたスプリングキャップの間隙を通った水蒸気が、上部精油成分抽出器内部にセットされた対象抽出バイオマスを蒸し上げ、効率良く水蒸気抽出する様に考案されている。このスプリングキャップにより、抽出バイオマスが下部水蒸気発生器内に落下する事を防ぐとともに、バイオマスに適度な空間を与える様に作用している。さらに前記スプリングキャップは、水蒸気の流れに渦巻を与え、抽出バイオマスを効率的に蒸し上げ、蒸気抽出する様に作用している。
なお抽出バイオマスの形状は、水蒸気との絡み易さから花弁・鉋屑状が良い。【０００８】  加熱を始める前に本装置水蒸気発生器のスプリングキャップを外し、内容の１／４ほど水を入れ精油成分抽出器を乗せ、ホットメルト接着剤紙テープにて密着固定させる。精油成分抽出器上端開口部から鉋屑状または花弁状にした抽出バイオマスを適量入れ、耐熱性パッキン付きの水蒸気誘導管をすり合わせて栓をして、３００Ｗ電熱器などで加熱する。前記水蒸気発生器で発生した水蒸気は上部精油成分抽出器内部の抽出バイオマスに水蒸気を通気させる。この精油成分を含んだ水蒸気は、気密性を持たせた本装置最上部の水蒸気誘導管に誘導され、周りを氷などの冷却剤で冷却された受器で、液体流出物または固型物として回収される。
本装置は水蒸気誘導管にガラス管を利用しているが、金属管や耐熱性樹脂管を利用すれば、本装置全体がさらに壊れにくくなる。水蒸気発生器と精油成分抽出器とを密着固定するのに、強度や粘着力の優れたアルミニウム製の粘着テープではなく、紙製のテープを使用しているのは、密着固定部分に異常な水蒸気の圧力がかかった場合に備えて、あえて弱くしてある。本装置で水蒸気蒸留使用毎に、ホットメルト接着剤紙製テープは交換する。
【実施例】
【０００９】  カヤ材の鉋屑を抽出バイオマスとして使用し、精油成分の抽出を行った。
以下、添付図面１〔０１００〕に従って一実施例を説明する。
水蒸気発生器２に、水蒸気発生用水１を約７０ｃｃ入れ、精油成分抽出器８の精油成分抽出器上端開口９より、抽出バイオマス７として鉋屑状にしたカヤ材を約３ｇ投入し、３００Ｗ電熱器１５で加熱する。約６分後に水蒸気発生器２内で沸騰が始まり、その３０秒後には水蒸気がキャップ５と水蒸気発生器上端開口４の間隙から、精油成分抽出器８に流れ込み、水蒸気蒸留抽出が精油成分抽出器８で始まる。その１分後には水蒸気誘導管１１に水滴が付き始め、その３０秒後に受器１２に抽出バイオマス７カヤの主要精油成分であるシンナムアルデヒド臭のする液体流出物が滴下し始める。その後約１５分間抽出を継続すると、結果として対象抽出バイオマスとして使用したカヤ材に主要精油成分である、白濁したシンナムアルデヒド臭のする芳香蒸留水を、約２０ｃｃ抽出する事が出来た。
【図面の簡単な説明】
【００１０】
【図１】〔０１００〕本考案の簡易バイオマス精油成分抽出装置の一実施例を示す正面図である。
【図２】〔０２００〕本装置の主要部分であるスプリングキャップを示す略図である。
【符号の説明】
【００１１】  １水蒸気発生用水
２水蒸気発生器
３ホットメルト接着剤紙テープ
４水蒸気発生器上端開口
５キャップ
６ワイヤースプリング
７抽出バイオマス
８精油成分抽出器
９精油成分抽出器上端開口
１０耐熱性パッキン（コルク栓）
１１水蒸気誘導管（ガラス管）
１２受器（試験管）
１３冷却用器
１４冷却剤（氷）
１５加熱器（３００Ｗ電熱器）
【図１】
0003151434.tif 000003
【図２】
0003151434.tif 000004